(57)【特許請求の範囲】
【請求項１】
ワイヤレス通信の方法であって、
第２のキャリアで使用するために、少なくとも１つの第１のキャリアに割り当てられたノードの１つまたは複数の送信アンテナを、前記ノードによって、指定することと、
前記第２のキャリア上のアンテナポートのセットを用いて、制御チャネル、データチャネル、または基準信号のうちの少なくとも１つを送信することと、ここにおいて、前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づき、
前記アンテナポートのセットを用いて、１つまたは複数のモバイルデバイスに１つまたは複数のチャネル状態情報基準信号（ＣＳＩ−ＲＳ）構成を送信することと、ここにおいて、前記１つまたは複数のＣＳＩ−ＲＳ構成は、前記１つまたは複数の送信アンテナの前記組み合わせを反映し、ここにおいて、前記１つまたは複数のＣＳＩ−ＲＳ構成は、前記第２のキャリア上の前記アンテナポートのセット内のアンテナポートの数を、前記１つまたは複数のモバイルデバイスに、指示する、
を備える方法。
【請求項２】
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、請求項１に記載の方法。
【請求項３】
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、請求項１に記載の方法。
【請求項４】
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、請求項１に記載の方法。
【請求項５】
前記非作動は、
１つまたは複数のサブフレーム、または
サブフレームの一部
のうちの１つのためのものである、請求項４に記載の方法。
【請求項６】
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、請求項１に記載の方法。
【請求項７】
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、請求項１に記載の方法。
【請求項８】
１つまたは複数のモバイルデバイスに制御チャネルまたはデータチャネルのうちの少なくとも１つについての復調基準信号（ＤＭ−ＲＳ）を送信すること
をさらに備え、
前記ＤＭ−ＲＳは、前記１つまたは複数の送信アンテナの前記組み合わせに基づく、請求項１に記載の方法。
【請求項９】
ワイヤレス通信のために構成された装置であって、
第２のキャリアで使用するために、少なくとも１つの第１のキャリアに割り当てられたノードの１つまたは複数の送信アンテナを、前記ノードによって、指定するための手段と、
前記第２のキャリア上のアンテナポートのセットを用いて、制御チャネル、データチャネル、または基準信号のうちの少なくとも１つを送信するための手段と、ここにおいて、前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づき、
前記アンテナポートのセットを用いて、１つまたは複数のモバイルデバイスに１つまたは複数のチャネル状態情報基準信号（ＣＳＩ−ＲＳ）構成を送信するための手段と、ここにおいて、前記１つまたは複数のＣＳＩ−ＲＳ構成は、前記１つまたは複数の送信アンテナの前記組み合わせを反映し、ここにおいて、前記１つまたは複数のＣＳＩ−ＲＳ構成は、前記第２のキャリア上の前記アンテナポートのセット内のアンテナポートの数を、前記１つまたは複数のモバイルデバイスに、指示する、
を備える装置。
【請求項１０】
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定され、
ここにおいて、前記非作動は、
１つまたは複数のサブフレーム、または
サブフレームのごく一部
のうちの１つのためのものである、請求項９に記載の装置。
【請求項１１】
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、請求項９に記載の装置。
【請求項１２】
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、請求項１１に記載の装置。
【請求項１３】
１つまたは複数のモバイルデバイスに制御チャネルまたはデータチャネルのうちの少なくとも１つについての復調基準信号（ＤＭ−ＲＳ）を送信するための手段
をさらに備え、
前記ＤＭ−ＲＳは、前記１つまたは複数の送信アンテナの前記組み合わせに基づく、請求項９に記載の装置。
【請求項１４】
指定するための前記手段、送信するための前記手段、および１つまたは複数のＣＳＩ−ＲＳ構成を送信するための前記手段は、少なくとも１つのプロセッサおよび前記少なくとも１つのプロセッサに結合されたメモリによって提供される、請求項９に記載の装置。
【請求項１５】
請求項１から８のうちの一項の方法の全てのステップを実施するようにコンピュータ実行可能であるプログラム命令を備える、コンピュータプログラム。
【発明の詳細な説明】
【関連出願の相互参照】
【０００１】
[0001]  本願は、２０１３年４月１６日に出願され、「ENHANCED ANTENNA MANAGEMENT BY A BASE STATION」と題された、米国仮特許出願番号第６１／８１２，６４４号の優先権を主張し、それらの全内容は、参照により本明細書に明示的に組み込まれている。
【技術分野】
【０００２】
[0002]  本開示の態様は、一般に、ワイヤレス通信システムに関し、より具体的には、基地局による強化されたアンテナ管理に関する。
【背景技術】
【０００３】
[0003]  ワイヤレス通信ネットワークは、音声、ビデオ、パケットデータ、メッセージング、ブロードキャストなどのような様々な通信サービスを提供するために広く展開されている。これらのワイヤレスネットワークは、利用可能なネットワークリソースを共有することによって複数のユーザをサポートすることができる多元接続ネットワークであり得る。通常は多元接続ネットワークであるこのようなネットワークは、利用可能なネットワークリソースを共有することによって複数のユーザのための通信をサポートする。このようなネットワークのうちの１つの例は、ユニバーサル地上無線接続ネットワーク（ＵＴＲＡＮ）である。ＵＴＲＡＮは、ユニバーサルモバイル電気通信システム（ＵＭＴＳ）の一部として定義された無線接続ネットワーク（ＲＡＮ）であり、第３世代パートナーシッププロジェクト（３ＧＰＰ）によってサポートされる第３世代（３Ｇ）モバイル電話技術である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、多数のユーザ機器（ＵＥ）のための通信をサポートすることができる多数の基地局またはノードＢを含み得る。ＵＥは、ダウンリンクおよびアップリンクを介して基地局と通信し得る。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]  基地局は、ＵＥにダウンリンクでデータおよび制御情報を送信し、および／またはＵＥからアップリンクでデータおよび制御情報を受信し得る。ダウンリンクでは、基地局からの送信は、隣接する基地局からの、または他のワイヤレス無線周波数（ＲＦ）送信機からの、送信に起因する干渉に遭遇し得る。アップリンクでは、ＵＥからの送信は、隣接する基地局と通信する他のＵＥのアップリンク送信からの、または他のワイヤレスＲＦ送信機からの干渉に遭遇し得る。この干渉は、ダウンリンクおよびアップリンクの両方で性能を劣化させ得る。
【０００６】
[0005]  モバイルブロードバンド接続への要求が増加し続けるにつれ、干渉および混雑したネットワークの可能性は、長距離ワイヤレス通信ネットワークにアクセスするより多くのＵＥ、およびコミュニティで展開されるより多くの短距離ワイヤレスシステムを伴って増大する。研究と発展が、モバイルブロードバンド接続への高まる需要を満たすためだけでなく、モバイル通信を用いたユーザの経験を向上および増進させるためにＵＭＴＳ技術を向上させ続けている。
【発明の概要】
【０００７】
[0007]  開示の１つの態様では、ワイヤレス通信の方法は、ノードによって、第２のキャリアで使用するために少なくとも１つの第１のキャリアに割り当てられたノードの１つまたは複数の送信アンテナを指定することと、前記第２のキャリア上のアンテナポートのセットを用いて、制御チャネル、データチャネル、または基準信号のうちの少なくとも１つを送信することと、を含み、前記アンテナポートのセットは、前記少なくとも１つの第１のキャリアに割り当てられた前記１つまたは複数の送信アンテナと、前記第２のキャリアために割り当てられたノードの１つまたは複数の送信アンテナとの組み合わせに少なくとも部分的に基づく。
【０００８】
[0008]  開示のさらなる態様では、ワイヤレス通信の方法は、モバイルデバイスにおいて、セルのキャリア上の基準信号と、アンテナポートの第１のセットおよびアンテナポートの第２のセットの構成を受信することと、サブフレームの基準信号のためにアンテナポートの第１のセットまたはアンテナポートの第２のセットのうちの１つの指示を受信することと、サブフレーム内の基準信号のためのアンテナポートの指示されたセットに基づく構成に従って基準信号を処理することと、を含む。
【０００９】
[0009]  開示のさらなる態様では、ワイヤレス通信のために構成された装置は、ノードによって、第２のキャリアで使用するために少なくとも１つの第１のキャリアに割り当てられたノードの１つまたは複数の送信アンテナを指定するための手段と、前記第２のキャリア上のアンテナポートのセットを用いて、制御チャネル、データチャネル、または基準信号のうちの少なくとも１つを送信するための手段と、を含み、前記アンテナのセットは、前記少なくとも１つの第１のキャリアに割り当てられた前記１つまたは複数の送信アンテナと、前記第２のキャリアに割り当てられたノードの１つまたは複数の送信アンテナとの組み合わせに少なくとも部分的に基づく。
【００１０】
[0010]  開示のさらなる態様では、ワイヤレス通信のために構成された装置は、モバイルデバイスにおいて、セルのキャリア上の基準信号と、アンテナポートの第１のセットおよびアンテナポートの第２のセットの構成を受信するための手段と、サブフレームの基準信号のためにアンテナポートの第１のセットまたはアンテナポートの第２のセットのうちの１つの指示を受信するための手段と、サブフレーム内の基準信号のためのアンテナポートの指示されたセットに基づく構成に従って基準信号を処理するための手段と、を含む。
【００１１】
[0011]  本開示のさらなる態様では、コンピュータプログラム製品は、記録されたプログラムコードを有するコンピュータ読取可能媒体を有する。このプログラムコードは、コンピュータに、ノードによって、第２のキャリアで使用するために少なくとも１つの第１のキャリアに割り当てられたノードの１つまたは複数の送信アンテナを指定させるためのコードと、コンピュータに、前記第２のキャリア上のアンテナポートのセットを用いて、制御チャネル、データチャネル、または基準信号のうちの少なくとも１つを送信させるためのコードとを含み、前記アンテナポートのセットは、前記少なくとも１つの第１のキャリアに割り当てられた前記１つまたは複数の送信アンテナと、前記第２のキャリアに割り当てられたノードの１つまたは複数の送信アンテナとの組み合わせに少なくとも部分的に基づく。
【００１２】
[0012]  本開示のさらなる態様では、コンピュータプログラム製品は、記録されたプログラムコードを有するコンピュータ読取可能媒体を有する。このプログラムコードは、コンピュータに、モバイルデバイスにおいて、セルのキャリア上の基準信号と、アンテナポートの第１のセットおよびアンテナポートの第２のセットの構成を受信させるためのコードと、コンピュータに、サブフレームの基準信号のためにアンテナポートの第１のセットまたはアンテナポートの第２のセットのうちの１つの指示を受信させるためのコードと、コンピュータに、サブフレーム内の基準信号のためのアンテナポートの指示されたセットに基づく構成に従って基準信号を処理させるためのコードと、を含む。
【００１３】
[0013]  本開示のさらなる態様では、装置は、少なくとも１つのプロセッサと、プロセッサに結合されたメモリとを含む。このプロセッサは、ノードによって、第２のキャリアで使用するために少なくとも１つの第１のキャリアに割り当てられたノードの１つまたは複数の送信アンテナを指定することと、前記第２のキャリア上のアンテナポートのセットを用いて、制御チャネル、データチャネル、または基準信号のうちの少なくとも１つを送信することと、を行うように構成され、前記アンテナポートのセットは、前記少なくとも１つの第１のキャリアに割り当てられた前記１つまたは複数の送信アンテナと、前記第２のキャリアに割り当てられたノードの１つまたは複数の送信アンテナとの組み合わせに少なくとも部分的に基づく。
【００１４】
[0014]  本開示のさらなる態様では、装置は、少なくとも１つのプロセッサと、プロセッサに結合されたメモリとを含む。プロセッサは、モバイルデバイスにおいて、セルのキャリア上の基準信号と、アンテナポートの第１のセットおよびアンテナポートの第２のセットの構成を受信することと、サブフレームの基準信号のためにアンテナポートの第１のセットまたはアンテナポートの第２のセットのうちの１つの指示を受信することと、サブフレーム内の基準信号のためのアンテナポートの指示されたセットに基づく構成に従って基準信号を処理することと、を行うように構成される。
【図面の簡単な説明】
【００１５】
【図１】[0015]  図１は、モバイル通信システムの例を図示するブロック図である。
【図２】[0016]  図２は、モバイル通信システムにおけるダウンリンクフレーム構造の例を図示するブロック図である。
【図３】[0017]  図３は、本開示の１つの態様に従って構成された基地局／ｅＮＢおよびＵＥの設計を図示するブロック図である。
【図４Ａ】[0018]  図４Ａは、２つの異なるキャリアの送信フレームを図示するブロック図である。
【図４Ｂ】図４Ｂは、２つの異なるキャリアの送信フレームを図示するブロック図である。
【図４Ｃ】図４Ｃは、２つの異なるキャリアの送信フレームを図示するブロック図である。
【図５Ａ】[0019]  図５Ａは、本開示の１つの態様に従って構成されたワイヤレス通信システムにおける、２つの異なるキャリアの送信フレームを図示するブロック図である。
【図５Ｂ】図５Ｂは、本開示の１つの態様に従って構成されたワイヤレス通信システムにおける、２つの異なるキャリアの送信フレームを図示するブロック図である。
【図６】[0020]  図６は、本開示の１つの態様を実装するように実行されたブロックの例を図示する機能ブロック図である。
【図７】[0021]  図７は、本開示の１つの態様を実装するように実行されたブロックの例を図示する機能ブロック図である。
【図８】[0022]  図８は、本開示の１つの態様に従って構成されるワイヤレス通信システムにおける、２つのキャリアの単一のサブフレームを図示するブロック図である。
【発明を実施するための形態】
【００１６】
[0023]  添付された図面に関連して下記に示される詳細な説明は、様々な構成の説明が意図されたものであり、本開示の範囲に限定されることが意図されたものではない。さらに、詳細な説明は、発明の主題の完全な理解を提供することを目的とする特定の詳細を含む。これらの特定の詳細があらゆるケースにおいて要求されないこと、および、いくつかの事例では、周知の構造およびコンポーネントが説明の明確さのためにブロック図形式で示されることは、当業者に対して明らかであるだろう。
【００１７】
[0024]  本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワーク、および他のネットワークに使用され得る。「ネットワーク」および「システム」という用語は、しばしば置換可能なように使用される。ＣＤＭＡネットワークは、ユニバーサル地上無線アクセス（ＵＴＲＡ）、米国電気通信工業会（ＴＩＡ）のＣＤＭＡ２０００（登録商標）などのような無線技術を実装し得る。ＵＴＲＡ技術は、広帯域ＣＤＭＡ（ＷＣＤＭＡ（登録商標））およびＣＤＭＡの他のバリエーションを含む。ＣＤＭＡ２０００（登録商標）技術は、米国電子工業会（ＥＩＡ）およびＴＩＡからのＩＳ−２０００、ＩＳ−９５、およびＩＳ−８５６規格を含む。ＴＤＭＡネットワークは、モバイル通信のためのグローバルシステム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標）などのような無線技術を実装し得る。ＵＴＲＡおよびＥ−ＵＴＲＡ技術は、ユニバーサルモバイル電気通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用するＵＭＴＳの、より新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書内で説明される。ＣＤＭＡ２０００（登録商標）およびＵＭＢは、「第３世代パートナーシッププロジェクト２」（３ＧＰＰ２）と呼ばれる組織からの文書内で説明される。本明細書で説明される技法は、上述されるワイヤレスネットワークおよび無線接続技術と同様に、他のワイヤレスネットワークおよび無線接続技術のために使用され得る。明確さのために、これらの技法の特定の態様は、ＬＴＥまたはＬＴＥ−Ａ（あるいは、合わせて「ＬＴＥ／−Ａ」と呼ばれる）のために下記で説明され、下記の説明のほとんどにおいて、そのようなＬＴＥ／−Ａの専門用語を使用する。
【００１８】
[0025]  図１は、ＬＴＥ−Ａネットワークであり得る、通信のためのワイヤレスネットワーク１００を示す。ワイヤレスネットワーク１００は、多数の発展型ノードＢ（ｅＮＢ）１１０および他のネットワークエンティティを含む。ｅＮＢは、ＵＥと通信する局であり得、基地局、ノードＢ、アクセスポイントなどとも呼ばれ得る。各ｅＮＢ １１０は、特定の地理的エリアのための通信カバレッジを提供し得る。３ＧＰＰにおいて、「セル」という用語は、その用語が使用される文脈に応じて、ｅＮＢのこの特定の地理的カバレッジエリア、および／または、カバレッジエリアにサービスするｅＮＢサブシステムを指し得る。
【００１９】
[0026]  ｅＮＢは、マクロセル、ピコセル、フェムトセル、および／または他のタイプのセルに通信カバレッジを提供し得る。マクロセルは一般に、相対的に広い地理的エリア（例えば、半径数キロメートル）をカバーし、ネットワークプロバイダにサービス加入しているＵＥによる制限のないアクセスを可能にし得る。ピコセルは一般に、相対的により狭い地理的エリアをカバーし、ネットワークプロバイダにサービス加入しているＵＥによる制限のないアクセスを可能にし得る。フェムトセルもまた一般に、相対的に狭い地理的エリア（例えば、ホーム）をカバーし、制限のないアクセスに加え、フェムトセルとの関連付けを有するＵＥ（例えば、クローズド加入者グループ（ＣＳＧ：closed subscriber group）内のＵＥ、ホームにおけるユーザのためのＵＥなど）による制限されたアクセスを提供し得る。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。図１に示される例では、ｅＮＢ １１０ａ、１１０ｂ、および１１０ｃは、それぞれマクロセル１０２ａ、１０２ｂ、および１０２ｃのためのマクロｅＮＢであり得る。ｅＮＢ １１０ｘは、ピコセル１０２ｘのためのピコｅＮＢである。また、ｅＮＢ １１０ｙおよび１１０ｚはそれぞれ、フェムトセル１０２ｙおよび１０２ｚのためのフェムトｅＮＢである。ｅＮＢは、１または複数（例えば、２、３、４個など）のセルをサポートし得る。
【００２０】
[0027]  ワイヤレスネットワーク１００はまた、中継局を含む。中継局は、アップストリーム局（例えば、ｅＮＢ、ＵＥなど）からデータの送信、および／または他の情報を受信し、ダウンストリーム局（例えば、別のＵＥ、別のｅＮＢなど）へのデータの送信、および／または他の情報を送る局である。中継局はまた、他のＵＥのための送信を中継するＵＥであり得る。図１で示される例では、中継局１１０ｒは、ｅＮＢ １１０ａおよびＵＥ １２０ｒと通信し得、ここで、中継局１１０ｒは、２つのネットワーク要素（ｅＮＢ １１０ａおよびＵＥ １２０ｒ）の間の通信を容易にするために、それらの間の中継の役割を果たす。中継局はまた、中継ｅＮＢ、リレーなどとも呼ばれ得る。
【００２１】
[0028]  ワイヤレスネットワーク１００は、同期動作または非同期動作をサポートし得る。同期動作について、ｅＮＢは、同様のフレームタイミングを有し得、異なるｅＮＢからの送信は、時間的におおまかに整列され（aligned）得る。非同期動作については、ｅＮＢは、異なるフレームタイミングを有し得、異なるｅＮＢからの送信は、時間的に整列されない可能性がある。
【００２２】
[0029]  ＵＥ １２０は、ワイヤレスネットワーク１００全体に分散され、各ＵＥは、固定またはモバイルであり得る。ＵＥはまた、端末、モバイル局、加入者ユニット、局などとも呼ばれ得る。ＵＥは、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、リレーなどと通信可能であり得る。図１では、両矢印付きの実線は、ＵＥと、ダウンリンクおよび／またはアップリンクでＵＥにサービスするように指定されたｅＮＢであるサービングｅＮＢとの間の所望の送信を示す。両矢印付きの破線は、ＵＥとｅＮＢとの間の干渉する送信を示す。
【００２３】
[0030]  ＬＴＥ／−Ａは、ダウンリンク上では直交周波数分割多重（ＯＦＤＭ）を利用し、アップリンク上では単一キャリア周波数分割多重（ＳＣ−ＦＤＭ）を利用する。ＯＦＤＭとＳＣ−ＦＤＭは、システム帯域幅を複数の（Ｋ個の）直交サブキャリアに分割し、それらは一般的に、トーン、ビンなどとも呼ばれる。各サブキャリアは、データを用いて変調され得る。一般に、変調シンボルは、ＯＦＤＭでは周波数領域で、およびＳＣ−ＦＤＭＡでは時間領域で送られる。近接するサブキャリア間の間隔は、固定され得、またサブキャリア（Ｋ個）の総数は、システム帯域幅によって決まり得る。例えば、Ｋは、１．４、３、５、１０、１５、または２０メガヘルツ（ＭＨｚ）の対応するシステム帯域幅に対して、それぞれ、７２、１８０、３００、６００、９００、および１２００に等しくなり得る。システム帯域幅はまた、サブバンドに分割され得る。例えば、サブバンドは、１．０８ＭＨｚをカバーし得、また１．４、３、５、１０、１５、または２０ＭＨｚの対応するシステム帯域幅に対して、それぞれ、１、２、４、８、または１６のサブバンドがあり得る。
【００２４】
[0031]  図２は、ＬＴＥ／−Ａにおいて使用されるダウンリンクフレーム構造を示す。ダウンリンクのための送信タイムラインは、無線フレームのユニットに分割され得る。各無線フレームは、所定の継続期間（例えば、１０ミリ秒（ｍｓ））を有し得、０〜９のインデックスを有する１０個のサブフレームに分割され得る。各サブフレームは、２つのスロットを含み得る。従って、各無線フレームは、０〜１９のインデックスを有する２０個のスロットを含み得る。各スロットは、例えば、通常のサイクリックプレフィクス（図２で示されるような）については７個のシンボル期間、または拡張されたサイクリックプレフィクスについては６個のシンボル期間といったような、Ｌ個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００２５】
[0032]  ＬＴＥ／−Ａでは、ｅＮＢは、ｅＮＢにおける各セルのために、一次同期信号（ＰＳＳ）および二次同期信号（ＳＳＳ）を送り得る。一次および二次同期信号は、図２で示されるように、通常のサイクリックプレフィクスを用いて、各無線フレームのサブフレーム０および５の各々で、それぞれシンボル期間６および５で送られ得る。同期信号は、セル検出および獲得のためにＵＥによって使用され得る。ｅＮＢは、サブフレーム０のスロット１におけるシンボル期間０〜３で物理ブロードキャストチャネル（ＰＢＣＨ）を送り得る。ＰＢＣＨは、ある特定のシステム情報を搬送し得る。
【００２６】
[0033]  ｅＮＢは、図２で見られるように、各サブフレームの第１のシンボル期間において物理制御フォーマットインジケータチャネル（ＰＣＦＩＣＨ）を送り得る。ＰＣＦＩＣＨは、制御チャネルのために使用されるシンボル期間の数（Ｍ）を伝達し得、ここで、Ｍは、１、２、または３に等しく、サブフレームごとに変化し得る。Ｍはまた、例えば、１０個未満のリソースブロックを有する、小さなシステム帯域幅については、４に等しくなり得る。図２に示される例では、Ｍ＝３である。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。図２に示される例では、ＰＤＣＣＨおよびＰＨＩＣＨはまた、最初の３つのシンボル期間に含まれる。ＰＨＩＣＨは、ハイブリッド自動再送（ＨＡＲＱ）をサポートするために情報を搬送し得る。ＰＤＣＣＨは、ＵＥのためのリソース割り当てに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００２７】
[0034]  各サブフレームの制御部（すなわち、各サブフレームの第１のシンボル期間）においてＰＨＩＣＨおよびＰＤＣＣＨを送ることに加えて、ＬＴＥ−Ａもまた同様に、各サブフレームのデータ部においてこれらの制御用チャネル（control-oriented channels）を送信し得る。図２に示されるように、データ領域（例えば、リレー物理ダウンリンク制御チャネル（Ｒ−ＰＤＣＣＨ））およびリレー物理ＨＡＲＱインジケータチャネル（Ｒ−ＰＨＩＣＨ）を利用するこれらの新しい制御設計は、各サブフレームの後のシンボル期間に含まれる。Ｒ−ＰＤＣＣＨは、半二重リレー動作のコンテキストにおいて独自に発展したデータ領域を使用する制御チャネルの新しいタイプである。１つのサブフレームにおいて第１の様々な制御シンボルを占有する、従来のＰＤＣＣＨおよびＰＨＩＣＨとは異なり、Ｒ−ＰＤＣＣＨおよびＲ−ＰＨＩＣＨは、データ領域として当初に指定されたリソースエレメント（ＲＥ）にマッピングされる。新しい制御チャネルは、周波数分割多重（ＦＤＭ）、時分割多重（ＴＤＭ）、またはＦＤＭおよびＴＤＭの組み合わせの形式であり得る。
【００２８】
[0035]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２９】
[0036]  多数のリソース要素が、各シンボル期間において利用可能であり得る。各リソース要素は、１つのシンボル期間において１つのサブキャリアをカバーし得、また１つの変調シンボルを送るために使用され得、それは、実数値または複素数値であり得る。各シンボル期間において基準信号のために使用されないリソース要素は、リソース要素グループ（ＲＥＧ）に配置され得る。各ＲＥＧは、１つのシンボル期間における４つのリソース要素を含み得る。ＰＣＦＩＣＨは、４つのＲＥＧを占有し得、それらは、シンボル期間０において、周波数にわたってほぼ均等に間隔をあけられ得る。ＰＨＩＣＨは、３つのＲＥＧを占有し得、それらは、１つまたは複数の設定可能なシンボル期間において、周波数にわたって拡散され得る。例えば、ＰＨＩＣＨのための３つのＲＥＧは、全てシンボル期間０に属し得るか、またはシンボル期間０、１および２において拡散され得る。ＰＤＣＣＨは、９、１８、３２、または６４個のＲＥＧを占有し得、それらは、最初のＭ個のシンボル期間において、利用可能なＲＥＧから選択され得る。ＲＥＧの特定の組み合わせのみが、ＰＤＣＣＨに対して許可され得る。
【００３０】
[0037]  ＵＥは、ＰＨＩＣＨとＰＣＦＩＣＨのために使用される特定のＲＥＧを知り得る。ＵＥは、ＰＤＣＣＨのためのＲＥＧの異なる組み合わせをサーチし得る。サーチする組み合わせの数は通常、ＰＤＣＣＨに対して許可される組み合わせの数よりも少ない。ｅＮＢは、ＵＥがサーチするであろう組み合わせのいずれかでＵＥにＰＤＣＣＨを送り得る。
【００３１】
[0038]  ＵＥは、複数のｅＮＢのカバレッジ内にあり得る。これらのｅＮＢのうちの１つは、ＵＥにサービスするために選択され得る。サービングｅＮＢは、受信電力、パスロス、信号対雑音比（ＳＮＲ）などのような、様々な基準に基づいて選択され得る。
【００３２】
[0039]  図３は、アップリンクロングタームエボリューション（ＬＴＥ／−Ａ）通信における例示的なフレーム構造３００の例を図示するブロック図である。アップリンクのために利用可能なリソースブロック（ＲＢ）は、データ部と制御部とに分割され得る。制御部は、システム帯域幅の両端に形成され得、構成可能なサイズを有し得る。制御部におけるリソースブロックは、制御情報の送信のためにＵＥに割り当てられ得る。データ部は、制御部に含まれない全てのリソースブロックを含み得る。図３の設計は、連続したサブキャリアを含むデータ部をもたらし、それは、単一のＵＥに、データ部における全ての連続したサブキャリアが割り当てられることを可能にし得る。
【００３３】
[0040]  ＵＥは、ｅＮＢに制御情報を送信するために、制御部においてリソースブロックを割り当てられ得る。ＵＥはまた、ｅノードＢにデータを送信するために、データ部においてリソースブロックを割り当てられ得る。ＵＥは、制御部において割り当てられたリソースブロック３１０ａおよび３１０ｂ上の物理アップリンク制御チャネル（ＰＵＣＣＨ）において制御情報を送信し得る。ＵＥは、データ部において割り当てられたリソースブロック３２０ａおよび３２０ｂ上の物理アップリンク共有チャネル（ＰＵＳＣＨ）内のデータのみ、またはデータと制御情報の両方を送信し得る。図３に示されるように、アップリンク送信は、サブフレームの両方のスロットに及び得、周波数にわたってホッピング（hop）し得る。
【００３４】
[0041]  図１を再び参照すると、ワイヤレスネットワーク１００は、単位エリア毎のシステムのスペクトル効率を改善するために、ｅＮＢ １１０の多様なセット（すなわち、マクロｅＮＢ、ピコｅＮＢ、フェムトｅＮＢ、およびリレー）を使用する。ワイヤレスネットワーク１００は、そのスペクトルカバレッジのためにそのような異なるｅＮＢを使用するため、異種ネットワークとも呼ばれ得る。マクロｅＮＢ １１０ａ−ｃは通常、ワイヤレスネットワーク１００のプロバイダによって慎重に計画され、設置される。マクロｅＮＢ １１０ａ−ｃは一般に、高い電力レベル（例えば、５Ｗ〜４０Ｗ）で送信を行う。一般に、大幅により低い電力レベル（例えば、１００ｍＷ〜２Ｗ）で送信する、ピコｅＮＢ １１０ｘおよび中継局１１０ｒは、マクロｅＮＢ １１０ａ−ｃによって提供されるカバレッジエリアにおけるカバレッジホールをなくし、ホットスポットでの容量を改善するために、相対的に無計画な手法で展開され得る。フェムトｅＮＢ １１０ｙ−ｚは通常、ワイヤレスネットワーク１００から独立して展開されるが、それにも関わらずそれらの管理者によって権限を与えられた場合、ワイヤレスネットワーク１００への潜在的なアクセスポイントとして、または少なくともリソースの調整および干渉管理の調整を実行するためにワイヤレスネットワーク１００の他のｅＮＢ １１０と通信し得るアクティブで覚醒している（aware）ｅＮＢとしてのいずれかで、ワイヤレスネットワーク１００のカバレッジエリアに組み込まれ得る。フェムトｅＮＢ １１０ｙ−ｚは通常、マクロｅＮＢ １１０ａ−ｃよりも大幅に低い電力レベル（例えば、１００ｍＷ〜２Ｗ）で送信を行う。
【００３５】
[0042]  ワイヤレスネットワーク１００のような異種ネットワークの動作では、各ＵＥは通常、より良い信号品質でｅＮＢ １００によってサービスされる一方、他のｅＮＢ １１０から受信される所望されない信号は、干渉として扱われる。このような動作原理は大いに最適に近い（significantly sub-optimal）性能をもたらし得る一方、ネットワーク性能における利得は、ｅＮＢ １１０間のインテリジェントなリソースの調整、より良いサーバ選択ストラテジ、および効率的な干渉管理のためのより向上した技術を使用することによって、ワイヤレスネットワーク１００において実現される。
【００３６】
[0043]  ピコｅＮＢ １１０ｘのようなピコｅＮＢは、マクロｅＮＢ １１０ａ−ｃのようなマクロｅＮＢと比較したとき、実質的により低い送信電力によって特徴付けられる。ピコｅＮＢはまた、通常、アドホック方式でワイヤレスネットワーク１００のようなネットワークの方々に配置されるだろう。この無計画な展開のために、ワイヤレスネットワーク１００のようなピコｅＮＢの配置を有するワイヤレスネットワークは、干渉状況への低い信号を用いて広いエリアを有することが予期され、それは、カバレッジエリア、すなわち、セル、のエッジにおけるＵＥ（「セルエッジ」ＵＥ）への制御チャネル送信のためのより挑戦的なＲＦ環境を助長し得る。さらに、マクロｅＮＢ １１０ａ−ｃとピコｅＮＢ １１０ｘの送信電力レベル間の潜在的に大きな不均衡（例えば、約２０ｄＢ）は、混合した展開では、ピコｅＮＢ １１０ｘのダウンリンクのカバレッジエリアが、マクロｅＮＢ １１０ａ−ｃのダウンリンクのカバレッジエリア よりもっと小さくなるであろうことを暗示している。
【００３７】
[0044]  しかしながら、アップリンクの場合は、アップリンク信号の信号強度は、ＵＥによって左右されるため、どのタイプのｅＮＢ １１０によって受信されるときも同様であるだろう。ほぼ同じであるかまたは同様であるｅＮＢ １１０のためのアップリンクのカバレッジエリアを用いると、アップリンクのハンドオフ境界は、チャネル利得に基づいて決定されるだろう。これは、ダウンリンクのハンドオーバ境界とアップリンクのハンドオーバ境界との間の不一致をもたらし得る。追加のネットワーク設備がなければ、この不一致は、ダウンリンクとアップリンクのハンドオーバ境界がより緊密に一致するマクロｅＮＢのみの同種ネットワークにおいてよりも、ワイヤレスネットワーク１００内のサーバの選択またはｅＮＢへのＵＥの関連付けをより困難にするだろう。
【００３８】
[0045]  サーバ選択が、ダウンリンク受信信号強度に主に基づいている場合、ワイヤレスネットワーク１００のような異種ネットワークの混合ｅＮＢ展開の実用性は、大いに減少するだろう。これは、ピコｅＮＢ １１０ｘが、それのさらにずっと弱いダウンリンク送信電力のために、いずれのＵＥにもサービスしていない間、マクロｅＮＢ １１０ａ−ｃのより高いダウンリンク受信信号強度は利用可能なＵＥの全てを引き付け（attract）得るため、マクロｅＮＢ１１０ａ−ｃのような高電力のマクロｅＮＢのより大きなカバレッジエリアは、ピコｅＮＢ １１０ｘのようなピコｅＮＢを用いてセルカバレッジを分割する利益を制限するためである。さらに、マクロｅＮＢ １１０ａ−ｃは、これらのＵＥに効率的にサービスするのに十分なリソースを有していない可能性があるだろう。従って、ワイヤレスネットワーク１００は、ピコｅＮＢ １００ｘのカバレッジエリアを拡大することによって、マクロｅＮＢ １００ａ−ｃとピコｅＮＢ １００ｘとの間の負荷を、アクティブにバランスを取ることを試みるだろう。この概念は、セル範囲拡大（ＣＲＥ）と呼ばれる。
【００３９】
[0046]ワイヤレスネットワーク１００は、サーバ選択が決定される方法を変更することによって、ＣＲＥを達成する。ダウンリンク受信信号強度に基づくサーバ選択の代わりに、選択は、よりダウンリンク信号の品質に基づく。１つのこのような品質ベースの決定では、サーバ選択は、最小の経路損失をＵＥに与えるｅＮＢを決定することに基づき得る。加えて、ワイヤレスネットワーク１００は、マクロｅＮＢ １１０ａ−ｃとピコｅＮＢ １１０ｘとの間で、固定されたリソースの分割を提供する。しかしながら、このアクティブな負荷のバランスを用いなくとも、マクロｅＮＢ １１０ａ−ｃからのダウンリンク干渉は、ピコｅＮＢ １１０ｘのような、ピコｅＮＢによってサービスされるＵＥに対して軽減されるべきである。これは、ＵＥにおける干渉除去、ｅＮＢ １１０間のリソースの調整などを含む、様々な方法によって達成され得る。
【００４０】
[0047]  ワイヤレスネットワーク１００のような、セル範囲拡大を用いる異種ネットワークでは、マクロｅＮＢ １００ａ−ｃのような、より高い動力源のｅＮＢから送信されたより強いダウンリンク信号の存在下で、ピコｅＮＢ １１０ｘのような、より低い動力源のｅＮＢからのサービスをＵＥが取得するために、ピコｅＮＢ １１０ｘは、マクロｅＮＢ １１０ａ−ｃのうちの干渉している支配的なものとの制御チャネルおよびデータチャネルの干渉調整に従事している。干渉調整のための多くの異なる技術が、干渉を管理するために用いられ得る。例えば、セル間干渉調整（ＩＣＩＣ）は、共同チャネルの展開においてセルからの干渉を低減するために使用され得る。ＩＣＩＣメカニズムの１つは、適応リソース分割である。適応リソース分割は、特定のｅＮＢにサブフレームを割り当てる。第１のｅＮＢに割り当てられたサブフレームでは、隣接するｅＮＢは送信を行わない。そのため、第１のｅＮＢによってサービスされる、ＵＥによって経験される干渉は低減される。サブフレーム割り当ては、アップリンクチャネルおよびダウンリンクチャネルの両方で行われ得る。
【００４１】
[0048]  例えば、サブフレームは、保護サブフレーム（Ｕサブフレーム）、禁止サブフレーム（Ｎサブフレーム）、および共通サブフレーム（Ｃサブフレーム）の３つのクラスのサブフレーム間で割り当てられ得る。保護サブフレームは、第１のｅＮＢによる排他的な使用のために第１のｅＮＢに割り当てられる。保護サブフレームはまた、隣接するｅＮＢからの干渉がないことに基づいて、「クリーンな」サブフレームとも呼ばれ得る。禁止サブフレームは、隣接するｅＮＢに割り当てられたサブフレームであり、第１のｅＮＢは禁止サブフレームの間でデータを送信することを禁止される。例えば、第１のｅＮＢの禁止サブフレームは、干渉する第２のｅＮＢの保護サブフレームに対応し得る。そのため、第１のｅＮＢは、第１のｅＮＢの保護サブフレーム間のデータを送信する唯一のｅＮＢである。共通サブフレームは、複数のｅＮＢによるデータ送信のために使用され得る。共通サブフレームはまた、他のｅＮＢからの干渉の可能性のために、「クリーンでない」サブフレームとも呼ばれ得る。
【００４２】
[0049]  少なくとも１つの保護サブフレームが、期間ごとに静的に割り当てられる。いくつかのケースでは、１つの保護サブフレームのみが静的に割り当てられる。例えば、期間が８ミリ秒である場合、１つの保護サブフレームが、毎８ミリ秒の間ｅＮＢに静的に割り当てられ得る。他のサブフレームは、動的に割り当てられ得る。
【００４３】
[0050]  適応的なリソース分割情報（ＡＲＰＩ）は、静的に割り当てられないサブフレームが動的に割り当てられることを可能にする。保護、禁止、または共通サブフレームのいずれかが、動的に割り当てられ得る（それぞれ、ＡＵ、ＡＮ、ＡＣ、サブフレーム）。動的な割り当ては、急速に、例えば、毎１００ミリ秒以下で変化し得る。
【００４４】
[0051]  異種ネットワークは、異なる電力クラスのｅＮＢを有し得る。例えば、３つの電力クラスは、降順の電力クラスで、マクロｅＮＢ、ピコｅＮＢ、フェムトｅＮＢとして定義され得る。マクロｅＮＢ、ピコｅＮＢ、およびフェムトｅＮＢが同一チャネル展開されるとき、マクロｅＮＢ（攻撃者（aggressor）ｅＮＢ）の電力スペクトル密度（ＰＳＤ）は、ピコｅＮＢおよびフェムトｅＮＢ（被害者（victim）ｅＮＢ）のＰＳＤよりも大きく、ピコｅＮＢおよびフェムトｅＮＢでの大量の干渉を作り出し得る。保護サブフレームが、ピコｅＮＢおよびフェムトｅＮＢでの干渉を低減または最小化するために使用され得る。すなわち、保護サブフレームが、攻撃者ｅＮＢにおける禁止サブフレームに対応するように、被害者ｅＮＢのためにスケジューリングされ得る。
【００４５】
[0052]  図４は、本開示の１つの態様に従った異種ネットワークにおける時分割多重（ＴＤＭ）分割を図示するブロック図である。ブロックの第１の列は、フェムトｅＮＢについてのサブフレーム割り当てを示し、ブロックの第２の列は、マクロｅＮＢについてのサブフレーム割り当てを図示する。ｅＮＢの各々は、他のｅＮが静的な禁止サブフレームを有する間、静的な保護サブフレームを有する。例えば、フェムトｅＮＢは、サブフレーム０における禁止サブフレーム（Ｎサブフレーム）に対応する、サブフレーム０における保護サブフレーム（Ｕサブフレーム）を有する。同様に、マクロｅＮＢは、サブフレーム７における禁止サブフレーム（Ｎサブフレーム）に対応する、サブフレーム７における保護サブフレーム（Ｕサブフレーム）を有する。サブフレーム１−６は、いずれかの保護サブフレーム（ＡＵ）、禁止サブフレーム（ＡＮ）、および共通サブフレーム（ＡＣ）として動的に割り当てられる。サブフレーム５および６における動的に割り当てられた共通サブフレーム（ＡＣ）間で、フェムトｅＮＢおよびマクロｅＮＢの両方がデータを送信し得る。
【００４６】
[0053]  保護サブフレーム（Ｕ／ＡＵサブフレームのような）は、攻撃者ｅＮＢが送信することを禁止されるため、低減された干渉および高いチャネル品質を有する。禁止サブフレーム（Ｎ／ＡＮサブフレームのような）は、被害者ｅＮＢが低干渉レベルでデータを送信することを可能にするためのデータ送信を有していない。共通サブフレーム（Ｃ／ＡＣサブフレームのような）は、データを送信する隣接するｅＮＢの数に依存するチャネル品質を有する。例えば、隣接するｅＮＢが共通サブフレーム上でデータを送信している場合、共通サブフレームのチャネル品質は、保護サブフレームよりも低くなり得る。共通サブフレーム上のチャネル品質はまた、攻撃者ｅＮＢによって強く影響を受ける、拡張された境界エリア（ＥＢＡ）のＵＥについて、より低いものであり得る。ＥＢＡ ＵＥは、第１のｅＮＢに属し得るが、第２のｅＮＢのカバレッジエリア内にも位置付けられ得る。例えば、フェムトｅＮＢカバレッジの範囲限界の近くの、マクロｅＮＢと通信するＵＥは、ＥＢＡ ＵＥである。
【００４７】
[0054]  ＬＴＥ／−Ａにおいて用いられ得る別の干渉管理スキームの例は、ゆっくり適応型（slowly-adaptive）の干渉管理である。干渉管理に対するこのアプローチを使用すると、リソースは、スケジューリング間隔よりももっと長い時間スケールにわたって交渉され、割り当てられる。このスキームの目的は、ネットワークの全体的な有用性を最大化する、時間または周波数リソースの全てにわたる、送信ｅＮＢとＵＥの全てのための送信電力の組み合わせを発見することである。「有用性」は、ユーザのデータレート、サービスの品質（ＱｏＳ）フローの遅延、および公平性のメトリックの関数として定義され得る。そのようなアルゴリズムは、最適化を解決するために使用される情報の全てに対するアクセスを有し、送信エンティティの全てわたる制御を有する、中央エンティティによって計算され得る。この中央エンティティは、常に実用的でない可能性があるか、または所望されないことさえある。従って、代替の態様では、ある特定のノードのセットからのチャネル情報に基づいてリソースの使用の決定を行う分散アルゴリズムが使用され得る。そのため、ゆっくり適応型の干渉アルゴリズムは、中央エンティティを使用して、またはネットワークにおけるノード／エンティティの様々なセットにわたってアルゴリズムを分散させることによって、のいずれかで、展開され得る。
【００４８】
[0055]  ワイヤレスネットワーク１００のような異種ネットワークの展開では、ＵＥは、ＵＥが１つまたは複数の干渉ｅＮＢから高い干渉を観察し得る、支配的な干渉のシナリオで動作し得る。支配的な干渉のシナリオは、制限された関連付けに起因して発生し得る。例えば、図１では、ＵＥ １２０ｙは、フェムトｅＮＢ １１０ｙの近くにあり得、ｅＮＢ １１０ｙに関し高い受信電力を有し得る。しかしながら、ＵＥ １２０ｙは、制限された関連付けに起因して、フェムトｅＮＢ １１０ｙにアクセス不可能であり得、マクロｅＮＢ １１０ｃ（図１に示される）に接続し得るか、またはより低い受信電力（図１に示されない）でまたフェムトｅＮＢ １１０ｚに接続し得る。ＵＥ １２０ｙは次に、ダウンリンク上でフェムトｅＮＢ １１０ｙからの高い干渉を観察し得、アップリンク上でｅＮＢ １１０ｙに高い干渉を引き起こし得る。調整された干渉管理を使用して、ｅＮＢ １１０ｃおよびフェムトｅＮＢ １１０ｙは、バックホール１３４を介して通信し得る。この交渉では、ＵＥ １２０ｙは、それがその同一のチャネルにわたってｅＮＢ １１０ｃと通信する、フェムトｅＮＢ １１０ｙからの多くの同じ程度の干渉を経験しないように、フェムトｅＮＢ １１０ｙは、そのチャネルリソースのうちの１つにおける送信を停止することに同意する。
【００４９】
[0056]  そのような支配的な干渉のシナリオにおけるＵＥで観察される信号電力の相違に加えて、ダウンリンク信号のタイミング遅延もまた、同期システムにおいてさえ、ＵＥと複数のｅＮＢとの間の異なる距離のために、ＵＥによって観察され得る。同期システムにおけるｅＮＢは、システムにわたり仮定に基づいて同期される。しかしながら、例えば、マクロｅＮＢから５ｋｍの距離にあるＵＥを考慮すると、そのマクロｅＮＢから受信される任意のダウンリンク信号の伝搬遅延は、約１６．６７μｓ（５ｋｍ÷３×１０８、すなわち、光速度「ｃ」）だけ遅延し得る。マクロｅＮＢからのダウンリンク信号を、もっとより近接したフェムトｅＮＢからのダウンリンク信号と比較すると、タイミング差は、有効期間（ＴＴＬ）エラーのレベルに近づき得る。
【００５０】
[0057]  さらに、そのようなタイミングの差は、ＵＥにおける干渉除去に影響し得る。干渉除去はしばしば、同一の信号の複数のバージョンの組み合わせ間の相互相関特性を使用する。同一の信号の複数のコピーを組み合わせることにより、信号の各コピーに干渉が存在する間、それは同じロケーションにない可能性があるため、干渉はより容易に識別され得る。組み合わせられた信号の相互相関を使用して、実際の信号部分が決定され、干渉と区別され得るため、干渉が除去されることを可能にする。
【００５１】
[0058]  図３は、図１における基地局／ｅＮＢのうちの１つと、ＵＥのうちの１つとであり得る、基地局／ｅＮＢ １１０およびＵＥ １２０の設計のブロック図を示す。制限された関連付けのシナリオについて、ｅＮＢ １１０は図１におけるマクロｅＮＢ １１０ｃであり得、ＵＥ １２０はＵＥ １２０ｙであり得る。ｅＮＢ １１０はまた、いくつかの他のタイプの基地局であり得る。ｅＮＢ １１０はアンテナ３３４ａ〜３３４ｔを備え、ＵＥ １２０はアンテナ３５２a〜３５２ｒを備え得る。
【００５２】
[0059]  ｅＮＢ １１０において、送信プロセッサ３２０はデータソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、それぞれデータシンボルおよび制御シンボルを取得するために、データおよび制御情報を処理（例えば、符号化およびシンボルマッピング）し得る。送信プロセッサ３２０はまた、例えば、ＰＳＳ、ＳＳＳのための基準シンボル、およびセル固有の基準信号を生成し得る。送信（ＴＸ）多入力多出力（ＭＩＭＯ）プロセッサ３３０は、適用可能な場合、データシンボル、制御シンボル、および／または基準シンボルに空間処理（例えば、プリコーディング）を実行し得、出力シンボルストリームを変調器（ＭＯＤ）３３２ａ〜３３２ｔに提供し得る。各変調器３３２は、出力サンプルストリームを取得するために、それぞれの出力シンボルストリーム（例えば、ＯＦＤＭなどのための）を処理し得る。各変調器３３２は、ダウンリンク信号を取得するために、出力サンプルストリームをさらに処理（例えば、アナログ変換、増幅、フィルタリング、およびアップコンバート）し得る。変調器３３２ａ〜３３２ｔからのダウンリンク信号は、それぞれ、アンテナ３３４ａ〜３３４ｔを介して送信され得る。
【００５３】
[0060]  ＵＥ １２０において、アンテナ３５２ａ〜３５２ｒは、ｅＮＢ １１０からダウンリンク信号を受信し得、受信された信号を、それぞれ、復調器（ＤＥＭＯＤ）３５４ａ〜３５４ｒに提供し得る。各復調器３５４は、入力サンプルを取得するために、それぞれの受信された信号を調整（例えば、フィルタリング、増幅、ダウンコンバート、およびデジタル化）し得る。各復調器３５４はさらに、受信シンボルを取得するために、入力サンプル（例えば、ＯＦＤＭなどのための）をさらに処理し得る。ＭＩＭＯ検出器３５６は、全ての復調器３５４ａ〜３５４ｒからの受信シンボルを取得し、適用可能であれば、受信シンボルにおいてＭＩＭＯ検出を実行し、検出したシンボルを提供し得る。受信プロセッサ３５８は、検出されたシンボルを処理（例えば、復調、デインタリーブ、および復号）し、ＵＥ １２０のための復号されたデータをデータシンク３６０に提供し、復号された制御情報をコントローラ／プロセッサ３８０に提供し得る。
【００５４】
[0061]  アップリンクでは、ＵＥ １２０において、送信プロセッサ３６４は、データソース３６２からデータ（例えば、ＰＵＳＣＨのための）を受信および処理し、コントローラ／プロセッサ３８０から制御情報（例えば、ＰＵＣＣＨのための）を受信および処理し得る。送信プロセッサ３６４はまた、基準信号のための基準シンボルを生成し得る。送信プロセッサ３６４からのシンボルは、適用可能な場合、ＴＸ ＭＩＭＯプロセッサ３６６によってプリコーディングされ、復調器３５４ａ〜３５４ｒによって（例えば、ＳＣ−ＦＤＭなどのために）さらに処理され、ｅＮＢ １１０に送信され得る。ｅＮＢ １１０では、ＵＥ １２０からのアップリンク信号はアンテナ３３４によって受信され、変調器３３２によって処理され、適用可能であればＭＩＭＯ検出器３３６によって検出され、受信プロセッサ３３８によってさらに処理され、ＵＥ １２０によって送られた制御情報および復号されたデータを取得し得る。プロセッサ３３８は、データシンク３３９に復号されたデータを提供し、コントローラ／プロセッサ３４０に復号された制御情報を提供し得る。
【００５５】
[0062]  コントローラ／プロセッサ３４０および３８０は、それぞれ、ｅＮＢ １１０およびＵＥ １２０における動作を指示し得る。コントローラ／プロセッサ３４０および／またはｅＮＢ １１０における他のプロセッサおよびモジュールは、本明細書で説明される技法のための様々な処理の遂行を実行または指示し得る。コントローラ／プロセッサ３８０および／またはＵＥ １２０における他のプロセッサおよびモジュールは、図６および７に図示される機能ブロック、および／または本明細書で説明される技法の他のプロセスの遂行を実行または命令し得る。メモリ３４２および３８２は、それぞれ、ｅＮＢ １１０およびＵＥ １２０のためのデータおよびプログラムコードを記憶し得る。スケジューラ３４４は、ダウンリンクおよび／またはアップリンクにおけるデータ送信のためにＵＥをスケジューリングし得る。
【００５６】
[0063]  ＬＴＥでは、各ノードは、ＤＬ ＭＩＭＯ動作をサポートすることを可能にする、１つまたは複数の送信アンテナを備えている。各ノードは、各セクタにおけるＤＬ ＭＩＭＯ動作もまたサポートする、１つまたは複数の送信アンテナが各セクタのために指定された複数のセクタを有し得る。共通基準信号（ＣＲＳ）ベースのＤＬ送信について、ＣＲＳアンテナポートの数は１、２、または４つであり得る。アンテナポートはアンテナの論理的表現であり、１つまたは複数の物理アンテナエレメントにマッピングを行い得る。ＵＥ基準信号（ＵＥ−ＲＳ）ベースのＤＬ送信について、ＵＥ−ＲＳアンテナポートの数は、現在定義されているモバイル基準においては８個までであることができ、将来的な基準においては、より多くなる可能性がある。
【００５７】
[0064]  ＵＥは、ＤＬ ＭＩＭＯ動作をサポートするために、チャネル状態情報（ＣＳＩ）フィードバックを提供する。ＵＥは、チャネル品質、ランクインジケータ、プリコーディングマトリックス情報などのような様々な基準の測定および決定を行い、サービングノードにこの情報を送る。ＣＳＩフィードバックに基づいて、サービングノードは、送信決定を行う。ＣＳＩフィードバックのためのチャネルおよび干渉測定は、ＵＥのための構成に応じて、ＣＲＳまたはＣＳＩ−ＲＳに基づき得る。ＵＥはまた、１つまたは複数のＣＳＩ−ＲＳ処理で構成され得る。例えば、協調マルチポイント（ＣｏＭＰ）動作では、ＵＥとの通信が複数のセルおよびノードを介して協調され得る。各ＣＳＩ−ＲＳ処理は、特定のセルまたはノードに関連付けられ得る。各ＣＳＩ−ＲＳ処理はまた、例えば、ＣＳＩフィードバックのためのアンテナポートの数、ＣＳＩ−ＲＳフィードバックのための周期性などのパラメータのセットに関連付けられ得る。
【００５８】
[0065]  各ノードは、異なる周波数に割り当てられ得る２つ以上のキャリアを有し得る。２つ以上のキャリアは、帯域内（intra-band）、帯域間（inter-band）、またはこれらの組み合わせであり得る。加えて、異なるノードは、同じキャリア周波数に割り当てられたキャリアを有し得る。このような各キャリアは、それらのそれぞれのノードまたは複数のノードに特定の数の送信アンテナを備え得る。ノードは、異なる基準信号のための多数のアンテナをブロードキャストし、それは、基準信号のタイプに応じて異なり得る。例えば、４つの物理送信アンテナを有するノードでは、ノードは、２つのＣＲＳポートと４つのＣＳＩ−ＲＳポートとをブロードキャストし得る。しかしながら、いくつかの状況では、いくつかのキャリアが部分的にまたは完全にオフになる場合があり得る。例えば、ノードにおける全体のシステムの負荷が高くない場合、エネルギー節約のために、ノードのタイプに応じていくつかのキャリアをオフにすることが有益であり得る。別の例では、干渉の制限を実施するために、いくつかのノードにおいていくつかのキャリアがオフにされ、それは、セル間干渉が低減されるため、周囲のノードに有益となり得る。さらに、スモールセルにサービスを提供しているノードは、部分的にまたは時々、休眠モード（dormancy mode）に入り得る。スモールセルでのこのような休眠／起動期間を管理するために、移動性の強化、干渉の調整などのような動作について、いくつかのノードがオフ／オンにされるようにアクティブに管理され得る場合に、特定のキャリアを部分的にまたは完全に非作動にすることが有益であり得る。
【００５９】
[0066]  このような動作がまた単一ノードのセクタ間で行われ得ることに留意されたい。例えば、特に第１のセクタでのシステムの負荷が低いとき、他のセクタでの干渉を管理するために第１のセクタ内の特定のキャリアを非作動にすることが有益であり得る。
【００６０】
[0067]  完全にまたは部分的に非作動にされる特定のキャリアについての可能性（potential）と、送信アンテナがキャリア送信のために特に割り当てられるという事実とを考慮すると、アクティブなキャリアに割り当てられた他の送信アンテナが大きな負荷の下で動作している間、非作動にされたキャリアに割り当てられた特定の送信アンテナはアイドル状態になる状況となり得る。
【００６１】
[0068]  図４Ａは、２つの異なるキャリアの送信フレームを図示するブロック図である。図示される例では、キャリア１は、従来のキャリアタイプ（ＬＣＴ：legacy carrier type）または新しいキャリアタイプ（ＮＣＴ：new carrier type）であり得るＬＴＥキャリアを示し、キャリア２は、ＮＣＴの別のＬＴＥキャリアを示しており、ここで、キャリア２のＮＣＴキャリアは、５サブフレーム毎に一度アクティブである。よって、キャリア２の非アクティブなサブフレームでは、キャリア２に割り当てられる送信アンテナは、キャリア１の送信アンテナがアクティブのままである間、アイドル状態であり得る。
【００６２】
[0069]  図４Ｂは、特定の継続期間中に２つのキャリアのうちの１つが非アクティブのままである２つの異なるキャリアの送信フレームを図示するブロック図である。この例では、キャリア１は、キャリア２が、図示される時間の継続期間中に非アクティブ期間である間中、またも送信フレームを通じてアクティブのままである。ここで、キャリア２に対して割り当てられた送信アンテナも、キャリア１に割り当てられた送信アンテナがアクティブである時間と同じ期間の間、アイドル状態のままであり得る。
【００６３】
[0070]  図４Ｃは、２つのさらに異なるキャリアの送信フレームを図示するブロック図である。この例では、ＬＣＴを示すキャリア１が、またも送信フレームを通じてアクティブのままである一方、同様にＬＣＴを示すキャリア２もまた、キャリア２が特定のサブフレームの一部の間でアクティブでない、このような方法で動作する。このような部分的なサブフレームの動きは、実際のところ、ＭＢＳＦＮサブフレームのＭＢＳＦＮ領域で起こり得る。さらに、キャリア２に割り当てられた送信アンテナは、キャリア１に割り当てられた送信アンテナがアクティブである期間の間、非アクティブであり得る。図４Ａ−４Ｃのいずれかにおいて、キャリア２の非アクティブの間にキャリア２に割り当てられているアイドル状態の送信アンテナを「借りる（borrowing）」ことによってキャリア１の送信効率が高められることは、明らかだろう。
【００６４】
[0071]  本開示の様々な態様は、第２のキャリアで使用するために少なくとも１つの第１のキャリアから送信アンテナを借りることと、第１のキャリアに関連した組み合わせられた物理送信アンテナと、第２のキャリアに関連した物理アンテナとに基づいて、第２の送信キャリア上のアンテナポートのセットを使用して様々な信号および基準信号を送信することに関する。
【００６５】
[0072]  図５Ａは、本開示の１つの態様に従って構成されたワイヤレス通信システムにおける、２つの異なるキャリアの送信フレームを図示するブロック図である。キャリア１および２は、複数のアンテナを有する単一のノードに各々送信される。図示される例では、送信ノードは、送信アンテナのうちの２つがキャリア１に割り当てられ、送信アンテナのうちの２つがキャリア２に割り当てられる、４つの物理送信アンテナを有する。本開示の１つの態様に従って構成されるワイヤレス通信システムの動作では、キャリア１およびキャリア２が両方ともアクティブであるとき、ノードはキャリア１および２の各々に対して割り当てられた２つの送信アンテナを使用して送信する。しかしながら、キャリア２が非アクティブであるとき、ノードは、キャリア１での送信のために、キャリア２に割り当てられたアイドル状態の送信アンテナを借りる。このように、キャリア２の非アクティブ期間の間に、ノードは、キャリア１に割り当てられた２つの送信アンテナと、キャリア２に割り当てられたおよびキャリア２から借りた２つの送信アンテナとの、４つのアンテナポートを使用してキャリア１を送信する。従って、ノードの送信効率は、キャリア１の送信のためにキャリア２に割り当てられたアイドル状態の送信アンテナを利用することによって高められ得る。
【００６６】
[0073]  図５Ｂは、本開示の１つの態様に従って構成された別のワイヤレス通信システムにおける、２つの異なるキャリアの送信フレームを図示するブロック図である。本開示の様々な態様はまた、第２のキャリアが特定のサブフレームの部分のみについて非アクティブである実装を適用可能にし得る。示されるように、キャリア２は、第２および第３の図示されたサブフレームの一部分のみを除いて、始めと終わりの図示されたサブフレーム全体の間で、アクティブである。アクティブである間中、ノードは、割り当てられた２つの送信アンテナの各々を使用してキャリア２上で送信を行う。対応して、キャリア２がアクティブであり２つの送信アンテナを使用して送信している間中、キャリア１もまた、アクティブであるように図示されており、キャリア１に割り当てられた２つの送信アンテナを使用して送信を行い得る。しかしながら、キャリア２が非アクティブであるとき、第２および第３の図示されたサブフレームの残りの部分の間でさえも、ノードは、キャリア２に割り当てられた２つの送信アンテナを借りて、４つの送信アンテナを用いてキャリア１を送信する際にそれらを使用する。よって、第１のキャリアに対して割り当てられた２つの送信アンテナを用いた合計ｒ個の送信アンテナを有するノードを考慮すると、ノードの追加のキャリアが非アクティブであるとき、ノードは、キャリア１の送信のために送信アンテナを組み合わせることができ、それは、第１のキャリアのために送信アンテナを２個とｒ個との間で変化させることができる。全てのキャリアがアクティブであるとき、ノードは、各キャリアに対して割り当てられた送信アンテナを使用する。しかしながら、キャリアのうちの１つまたは複数がアクティブでない場合、ノードは、アクティブなキャリアに対して割り当てられた送信アンテナと、他の非アクティブなキャリアのためのアイドル状態の送信アンテナの任意の数とをプラスして使用し得る。
【００６７】
[0074]  送信アンテナの増加した数を用いて、キャリアは、より良いＭＩＭＯ動作を行い得る。例えば、追加の送信アンテナは、強化されたビームフォーミングを可能にし得る。２つの送信アンテナがＮ個のキャリアの各々に割り当てられる、Ｎ個の組み合わせられたキャリアを有するノードを考慮すると、２つの送信アンテナから２Ｎ個の送信アンテナへの変化は、ある時間においてＮ−１個のキャリアが非アクティブである場合に、大きなビームフォーミング利得（large beamforming gain）を可能にする。送信アンテナの増加された数はまた、ノードがさらにＭＵ−ＭＩＭＯ動作を行う可能性が高く、また多くの数の送信アンテナを用いた改善されたＭＵ−ＭＩＭＯ性能を達成する可能性が高い環境を作ることによって、マルチユーザＭＩＭＯ（ＭＵ−ＭＩＭＯ）動作を強化し得る。増加された数の送信アンテナはまた、より高いランクのＳＵ−ＭＩＭＯ動作が可能である環境を作ることによってＳＵ−ＭＩＭＯ動作を強化し得る。
【００６８】
[0075]  図６は、本開示の１つの態様を実装するように実行されたブロック図の例を図示する機能ブロック図である。ブロック６００において、ノードは、第２のキャリアで使用するために少なくとも１つの第１のキャリアに割り当てられた１つまたは複数の送信アンテナを指定する。例えば、特定のノードは、６個の送信アンテナを有し、３つのキャリアの各々に対して割り当てられた２つのアンテナを有する３つのキャリアを使用し得る。第１のキャリアが非アクティブであるとき、ノードが第２または第３のキャリアのための４つの送信キャリアを使用することができるように、ノードは、第２または第３のキャリアのいずれかで使用するために第１のキャリアに割り当てられた２つの送信アンテナを指定し得る。第１および第２のキャリアが非アクティブであるとき、ノードが第３のキャリア上で、全部で６個の送信キャリアを使用して送信することができるように、ノードは、第３のキャリアで使用するために第１および第２のキャリアに割り当てられた４つの送信アンテナを指定し得る。
【００６９】
[0076]  ブロック６０１において、ノードは、第２のキャリア上のアンテナポートのセットを用いて信号を送信し、ここで、このアンテナポートのセットは、少なくとも１つの第１のキャリアに割り当てられた送信アンテナと、第２のキャリアに割り当てられた１つまたは複数のアンテナとの組み合わせに少なくとも部分的に基づく。この信号は、制御チャネル、データチャネル、少なくとも１つの制御チャネルまたはデータチャネルのための基準チャネル（例えば、ＣＲＳ、ＣＳＩ−ＲＳ、ＵＥ−ＲＳ、復調基準信号（ＤＭ−ＲＳ）など）などのような、ノードによって送信された異なる信号の任意の数であり得る。例えば、上述されるように、任意の他のキャリアが非アクティブである際に、ノードは、非アクティブなキャリアに割り当てられた送信アンテナ、またはアクティブな第２のキャリア上の様々な信号の送信のためにアクティブなキャリアに割り当てられた送信アンテナを有するキャリアを組み合わせ得る。
【００７０】
[0077]  ノードは、ＣＳＩ−ＲＳを使用することなどによって、ＵＥの周囲に、送信アンテナの組み合わせを反映するための基準信号を送信し得る。第１のＣＳＩ−ＲＳ構成では、ＵＥは、アンテナポートの第１の数（組み合わせられた動作がないことを反映する）を指示し、第２のＣＳＩ−ＲＳ構成では、ＵＥは、アンテナポートの第２の数（組み合わせられた動作を反映する）を指示し得る。特定の構成では、２つ以上の実行可能なＣＳＩ−ＲＳ構成があり得る。例えば、キャリアを介する２つ以上の送信アンテナの組み合わせがあり得るとき（例えば、１つのサブフレーム内の３つのキャリアを考慮すると）、（１）全てのキャリアがアクティブであり組み合わせがない；（２）２つの非アクティブなキャリアからの送信アンテナの組み合わせを有する１つのみのアクティブなキャリア；（３）１つの非アクティブなキャリアからの送信アンテナの組み合わせを有する、２つのアクティブなキャリア；の３つのＣＳＩ−ＲＳ構成があり得る。異なる構成は、同じサブフレームまたは異なるサブフレーム内にあり得る。通常、第２の構成（組み合わせがある）は、アンテナを介して組み合わせられた送信があるときにサブフレーム内にあり得る一方、第１の構成（組み合わせがない）は、任意のサブフレーム内にあり得る。
【００７１】
[0078]  異なる構成は、同時にまたはある時間においてその時々でＵＥに指示し得る。構成の指示は、非アクティブなタイムスケールによって決まり得る。非アクティブ性が半静的である場合、拡張された継続期間のための１つの構成があり得、それは、少なくとも１つのキャリア上の非アクティブ性に変化があるとき、拡張された構成のための別の構成に続く。このような半静的な動作では、ＣＳＩ−ＲＳ構成は、ある時間において、特定の動作に応じてその時々で、それを指示され得る。非アクティブ性が動的である場合、２つの構成がＵＥのために同時に使用可能となり得る。よって、ＵＥは、非アクティブ性の現在の状態に応じて、いずれかの構成を選択するためのアクセスを有するだろう。さらに、異なるＵＥは、異なる構成を有するものと、構成の半静的なまたは動的ないずれかの指示を有するものとの両方で、異なって構成され得る。
【００７２】
[0079]  ＵＥは、様々なＣＳＩ−ＲＳアンテナ構成に従ってＣＳＩフィードバックを提供し得る。動的な非アクティブ性の動作では、２つの構成が同時に構成される場合、ＵＥは、２つ以上のＣＳＩ処理にＣＳＩフィードバックを提供し得、ＣＳＩフィードバックは、周期的、非周期的、または両方の組み合わせであり得る。ノードは、このＣＳＩフィードバックおよび送信アンテナの性能に適宜基づいてＵＥをスケジューリングし得る。
【００７３】
[0080]  図７は、本開示の１つの態様を実装するように実行された例示的なブロック図を図示する機能ブロック図である。ブロック７００では、ＵＥは、キャリア上の基準信号と、サービングノードからアンテナポートまでの複数の構成とを受信する。ＵＥは、様々なサービングおよび非サービングノードからの基準信号を定期的に受信する。ＵＥは、サービングノードに対して、ハンドオーバを決定し、干渉を分析し、測定を行い、およびフィードバックを提供するために、このような基準信号を利用する。説明される態様では、ＵＥはまた、基準信号を含む様々な信号を送信するために、サービングノードによって使用され得るアンテナポートまたは送信アンテナの数をＵＥに指示し得る、アンテナ構成を受信する。
【００７４】
[0081]  ブロック７０１において、ＵＥは、アンテナポートのセットの構成のうちのどれを、ノードがサブフレームの間に受信された基準信号に使用するのかの動的指示を受信する。例えば、ＵＥは、サブフレームのための基準信号を送信する際に、ノードによって使用される送信アンテナの数に基づいて選択するためのＣＳＩ−ＲＳ構成の指示を受信する。指示はまた、サービングノードから送信されたダウンリンク制御情報（ＤＣＩ）を通じて、またはサービングノードからの様々な作動または非作動メッセージを通じて、ＵＥによって受信され得る。指示は、半静的、動的、または半静的と動的との両方の組み合わせであり得る。例として、ＵＥは、２つ以上のＣＳＩ−ＲＳ構成を用いて構成され得る。加えて、ＵＥは、２つ以上のＣＳＩ−ＲＳ構成のうちのいくつかの作動を受信し得る。
【００７５】
[0082]  ブロック７０２において、ＵＥは、アンテナポートの特定のセットのための指示された構成を選択し、またアンテナポートの指示されたセットに基づく基準信号を処理する。例えば、ＵＥがどの構成を選択するかの指示を受信した後、ＵＥは、選択されたアンテナ構成に従って、アンテナ構成を送信し、基準信号を処理することを実装することを選択する。
【００７６】
[0083]  記載されるように、キャリアを介する送信アンテナの管理は、半静的または動的であり得る。アクティブな（動的な）送信アンテナの管理では、第１のキャリアに関連付けられた送信アンテナが、所与の時間において、第１のキャリアのために使用されるべきであるか、または第２のキャリアのために使用されるべきであるかに関する矛盾する要求が存在する場合があり得る。
【００７７】
[0084]  図８は、本開示の１つの態様に従って構成されるワイヤレス通信システムにおける、２つのキャリアの単一のサブフレームを示すブロック図である。キャリア１および２を送信するノードは、４つの送信アンテナを含む。図示されるように、指示サブフレーム間で、ノードは、キャリア１が４つの送信アンテナを使用して送信を行うことが指示される一方、キャリア２は、２つの送信アンテナを使用して送信することが指示されることを示す。例えば、キャリア１が４つの送信ポート（２つのキャリアを介する組み合わせられた送信アンテナ）を用いてＣＳＩ−ＲＳを送信するようにスケジューリングされる一方、キャリア２は、同じサブフレーム内でアクティブであることを決定する。
【００７８】
[0085]  スケジューリングされた送信アンテナの数における矛盾を解消するために、ノードは、いくつかの異なる代替手段の下で動作し得る。例えば、第１の実行可能な（possible）解決法では、ノードは、図示されたサブフレーム間で非アクティブとなることをキャリア２に強制し得る。キャリア２においてこの非作動を強制することによって、ノードは、キャリア１上のＣＳＩ−ＲＳの送信のために４つの送信アンテナポートを使用し得る。別の例示的な動作では、ノードは、衝突するサブフレーム（conflicting subframe）上のＣＳＩ−ＲＳを完全に除外するか、またはサブフレーム内のＣＳＩ−ＲＳを送信するためにキャリア１に割り当てられた２つの送信アンテナポートのみを使用し得る。このような矛盾を解消するための例示的な別の動作では、ノードは、２つの送信アンテナがキャリア１のために他のシンボルにおいて使用される場合、キャリア１上で、４つの送信アンテナポートがＣＳＩ−ＲＳを搬送するシンボルにおいてＣＳＩ−ＲＳを送信するために使用されるように、相反するサブフレーム内の時分割多重（ＴＤＭ）動作を使用してＣＳＩ−ＲＳを送信し得る。その結果、ノードは、キャリア１においてＣＳＩ−ＲＳを搬送するこれらのシンボル間で、キャリア２上の送信を行わない可能性があり、サブフレームの他のシンボル間で、２つの送信アンテナを使用してキャリア２上の送信を行い得る。
【００７９】
[0086]  別の例では、ノードは、４つのアンテナポートを有するキャリア１、および同じサブフレーム内の２つのアンテナポートを有するキャリア２の両方を送信し得る。しかしながら、キャリア１が２つの物理アンテナしか有していないが、４つのアンテナポートによる送信を指示するという問題を解決するために、ノードは、４つのアンテナポートに２つの物理アンテナを論理的にマッピングし得る。そうすることによって、ＵＥの観点からの透過的な動作（transparent operation）が実現され得る。すなわち、具体的な処理は、矛盾するシナリオを処理するためにＵＥとって必要ではない。２つ以上の物理アンテナポートが同じアンテナポートにマッピングされるため、例えば、ＣＳＩ−ＲＳベースのチャネルフィードバックについて、対応する基準信号に関連付けられた性能を悪化させ得る。しかしながら、このような悪化した性能は、ノードが物理アンテナと指示されたアンテナポートとの間の実際のマッピングを知っているため、ノードによって処理され得る。
【００８０】
[0087]  キャリアを介する送信アンテナの管理は、許可されたスペクトル上のＬＴＥに限定されないことに留意されたい。本開示の様々な態様は、許可されていないスペクトル上のＬＴＥ通信動作、または許可されていないスペクトル上のＷＩＦＩ通信（例えば、キャリア感知多元接続（ＣＳＭＡ）ベースの多重化について）、または両方の組合せに適用され得る。
【００８１】
[0088]  当業者は、情報および信号が、様々な異なる技術および技法のいずれかを使用して表され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００８２】
[0089]  図６、および７における機能ブロックおよびモジュールは、プロセッサ、電子デバイス、ハードウェアデバイス、電子コンポーネント、論理回路、メモリ、ソフトウェアコード、ファームウェアコードなど、または、それらの任意の組み合わせを備え得る。
【００８３】
[0090]  当業者はさらに、本明細書の開示に関連して説明された様々な例示的な論理ブロック、モジュール、回路、アルゴリズムステップが、電子ハードウェア、コンピュータソフトウェアまたは両方の組み合わせとして実装し得ることを理解するだろう。ハードウェアおよびソフトウェアの互換性を明確に例示するために、様々な例示的なコンポーネント、ブロック、モジュール、回路、およびステップが、一般にそれらの機能の観点から上記で説明されている。このような機能が、ハードウェアとして実装されるか、またはソフトウェアとして実装されるかは、特定のアプリケーションおよびシステム全体に課せられている設計制約に依存する。当業者は、説明された機能を特定のアプリケーションごとに様々な方法で実装し得るが、このような実装の決定は、本開示の範囲からの逸脱を引き起こすものと解釈されるべきではない。当業者はまた、本明細書で説明されるコンポーネント、方法、または相互作用の順序または組み合わせが単に例示のためのものであり、本開示の様々な態様のコンポーネント、方法、または相互作用が、本明細書で例示され説明されるもの以外の方法で組み合わせられるかまたは行われ得ることを、容易に理解するだろう。
【００８４】
[0091]  本明細書の開示に関連して説明される様々な例示的な論理ブロック、モジュール、および回路は、本明細書において説明された機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実装または実行され得る。汎用プロセッサはマイクロプロセッサであり得るが、代替としてプロセッサは任意の従来のプロセッサ、コントローラ、マイクロプロセッサ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと結合された１つまたは複数のマイクロプロセッサ、または任意の他のそのような構成として、実装され得る。
【００８５】
[0092]  本明細書の開示に関連して説明された方法またはアルゴリズムのステップは、ハードウェアで直接的に、プロセッサによって実行されるソフトウェアモジュールで、または両者の組み合わせで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知の任意の他の形態の記憶媒体内に存在し得る。例示的な記憶媒体は、プロセッサが記憶媒体から情報を読み出し、記憶媒体に情報を書き込むことができるように、プロセッサに結合される。代替においては、記憶媒体はプロセッサに統合され得る。プロセッサおよび記憶媒体はＡＳＩＣに存在し得る。ＡＳＩＣは、ユーザ端末内に存在し得る。代替として、プロセッサおよび記憶媒体は、ユーザ端末内に個別構成要素として存在し得る。
【００８６】
[0093]  １つまたは複数の例示的な設計では、説明された機能は、ハードウェア、ソフトウェア、ファームウェア、またはそれらの任意の組み合わせで実装され得る。ソフトウェアにおいて実装される場合、機能は、１つまたは複数の命令またはコードとして、コンピュータ読取可能媒体上に記憶され得るか、またはそれによって送信され得る。コンピュータ読取可能媒体は、汎用または特殊用途コンピュータによってアクセスされることができる任意の利用可能な媒体であり得る。制限されない例として、そのようなコンピュータ読取可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令やデータ構造の形態で所望のプログラムコード手段を搬送または記憶するために使用され得る任意の他の媒体を備え得る。また、非一時的な接続は、厳密にはコンピュータ読取可能媒体の定義の中に含まれ得る。例えば、命令がウェブサイト、サーバ、あるいは、同軸ケーブル、光ファイバーケーブル、ツイストペア、デジタル加入者ライン(ＤＳＬ)を使用する他の遠隔ソース、から送信される場合には、同軸ケーブル、光ファイバーケーブル、ツイストペア、ＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびｂｌｕ−ｒａｙ（登録商標）ディスクを含み、ここで、ディスク（disks）が通常磁気的にデータを再生する一方、ディスク（discs）は、レーザーを用いて光学的にデータを再生する。上記の組み合わせもまた、コンピュータ読取可能媒体の範囲内に含まれるべきである。
【００８７】
[0094]  本明細書で使用されるような、請求項に含まれる「および／または」という表現は、２つ以上の項目のリストで使用されるとき、リスト化された項目のうちのいずれか１つがそれ自体によって用いられ得ることか、またはリスト化された項目のうちの２つ以上のいずれかの組み合わせが用いられ得ることを意味する。例えば、構成がコンポーネントＡ、Ｂ、および／またはＣを含むものとして説明される場合、その構成は、Ａ単独；Ｂ単独；Ｃ単独；ＡおよびＢの組み合わせ；ＡおよびＣの組み合わせ；ＢおよびＣの組み合わせ；またはＡ、Ｂ、およびＣの組み合わせを含むことができる。また、本明細書に使用されるような、請求項を含む「のうちの少なくとも１つ」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００８８】
[0095]  本開示の上述説明は、いずれの当業者も本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明される例および設計に限定されることが意図されるものではなく、本明細書に開示される原理および新規の特徴と一致する最も広い範囲が付与されるべきものである。
以下に、本願出願の当初の特許請求の範囲に記載された発明を付記する。
［Ｃ１］
ワイヤレス通信の方法であって、
ノードによって、第２のキャリアで使用するために少なくとも１つの第１のキャリアに割り当てられた前記ノードの１つまたは複数の送信アンテナを指定することと、
前記第２のキャリア上のアンテナポートのセットを用いて、制御チャネル、データチャネル、または基準信号のうちの少なくとも１つを送信することと
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、方法。
［Ｃ２］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１に記載の方法。
［Ｃ３］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１に記載の方法。
［Ｃ４］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１に記載の方法。
［Ｃ５］
前記非作動は、
１つまたは複数のサブフレーム、または
サブフレームの一部
のうちの１つのためのものである、Ｃ４に記載の方法。
［Ｃ６］
１つまたは複数のモバイルデバイスに１つまたは複数のチャネル状態情報基準信号（ＣＳＩ−ＲＳ）構成を送信すること
をさらに備え、
前記１つまたは複数のＣＳＩ−ＲＳ構成は、前記１つまたは複数の送信アンテナの前記組み合わせに基づく、Ｃ１に記載の方法。
［Ｃ７］
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、Ｃ６に記載の方法。
［Ｃ８］
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、Ｃ６に記載の方法。
［Ｃ９］
１つまたは複数のモバイルデバイスに制御チャネルまたはデータチャネルのうちの少なくとも１つについての復調基準信号（ＤＭ−ＲＳ）を送信すること
をさらに備え、
前記ＤＭ−ＲＳは、前記１つまたは複数の送信アンテナの前記組み合わせに基づく、Ｃ１に記載の方法。
［Ｃ１０］
ワイヤレス通信のために構成された装置であって、
ノードによって、第２のキャリアで使用するために少なくとも１つの第１のキャリアに割り当てられた前記ノードの１つまたは複数の送信アンテナを指定するための手段と、
前記第２のキャリア上のアンテナポートのセットを用いて、制御チャネル、データチャネル、または基準信号のうちの少なくとも１つを送信するための手段と
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、装置。
［Ｃ１１］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１０に記載の装置。
［Ｃ１２］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１０に記載の装置。
［Ｃ１３］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１０に記載の装置。
［Ｃ１４］
前記非作動は、
１つまたは複数のサブフレーム、または
サブフレームのごく一部
のうちの１つのためのものである、Ｃ１３に記載の装置。
［Ｃ１５］
１つまたは複数のモバイルデバイスに１つまたは複数のチャネル状態情報基準信号（ＣＳＩ−ＲＳ）構成を送信するための手段
をさらに備え、
前記１つまたは複数のＣＳＩ−ＲＳ構成は、前記１つまたは複数の送信アンテナの前記組み合わせに基づく、Ｃ１０に記載の装置。
［Ｃ１６］
前記１つまたは複数のＣＳＩ−ＲＳ構成のうちの第１のものは、
第１のサブフレームと、
第１の継続期間にわたるサブフレームと
のうちの１つに関連付けられ、
前記１つまたは複数のＣＳＩ−ＲＳ構成のうちの第２のものは、
第２のサブフレームと、
前記第１の継続期間の後の後続のサブフレームと
のうちの１つに関連付けられる、Ｃ１５に記載の装置。
［Ｃ１７］
前記１つまたは複数のＣＳＩ−ＲＳ構成のうちの第１のものは、前記１つまたは複数のモバイルデバイスのうちの第１のものに送信され、前記１つまたは複数のＣＳＩ−ＲＳ構成のうちの第２のものは、前記１つまたは複数のモバイルデバイスのうちの第２のものに送信される、Ｃ１６に記載の装置。
［Ｃ１８］
１つまたは複数のモバイルデバイスに制御チャネルまたはデータチャネルのうちの少なくとも１つについての復調基準信号（ＤＭ−ＲＳ）を送信するための手段
をさらに備え、
前記ＤＭ−ＲＳは、前記１つまたは複数の送信アンテナの前記組み合わせに基づく、Ｃ１０に記載の装置。
［Ｃ１９］
ワイヤレスネットワークにおけるワイヤレス通信のためのコンピュータプログラム製品あって、
記録されたプログラムコードを有する非一時的なコンピュータ読取可能媒体
を含み、
前記プログラムコードは、
コンピュータに、ノードによって、第２のキャリアで使用するために少なくとも１つの第１のキャリアに割り当てられた前記ノードの１つまたは複数の送信アンテナを指定させるためのプログラムコードと、
前記コンピュータに、前記第２のキャリア上のアンテナポートのセットを用いて、制御チャネル、データチャネル、または基準信号のうちの少なくとも１つを送信させるためのプログラムコードと
を備え、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、コンピュータプログラム製品。
［Ｃ２０］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ１９に記載のコンピュータプログラム製品。
［Ｃ２１］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ１９に記載のコンピュータプログラム製品。
［Ｃ２２］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ１９に記載のコンピュータプログラム製品。
［Ｃ２３］
前記コンピュータに、１つまたは複数のモバイルデバイスに１つまたは複数のチャネル状態情報基準信号（ＣＳＩ−ＲＳ）構成を送信させるためのプログラムコード
をさらに備え、
前記１つまたは複数のＣＳＩ−ＲＳ構成は、前記１つまたは複数の送信アンテナの前記組み合わせに基づく、Ｃ１９に記載のコンピュータプログラム製品。
［Ｃ２４］
前記コンピュータに、１つまたは複数のモバイルデバイスに制御チャネルまたはデータチャネルのうちの少なくとも１つについての復調基準信号（ＤＭ−ＲＳ）を送信させるためのプログラムコード
をさらに備え、
前記ＤＭ−ＲＳは、前記１つまたは複数の送信アンテナの前記組み合わせに基づく、Ｃ１９に記載のコンピュータプログラム製品。
［Ｃ２５］
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
ノードによって、第２のキャリアで使用するために少なくとも１つの第１のキャリアに割り当てられた前記ノードの１つまたは複数の送信アンテナを指定することと、
前記第２のキャリア上のアンテナポートのセットを用いて、制御チャネル、データチャネル、または基準信号のうちの少なくとも１つを送信することと
を行うように構成され、
前記アンテナポートのセットは、前記少なくとも１つの第１のキャリアに割り当てられた前記１つまたは複数の送信アンテナと、前記第２のキャリアで使用するために割り当てられた前記ノードの１つまたは複数の送信アンテナとの組み合わせに少なくとも部分的に基づく、装置。
［Ｃ２６］
前記少なくとも１つの第１のキャリアと前記第２のキャリアとは、異なるキャリア周波数であり、前記少なくとも１つの第１のキャリアと前記第２のキャリアとは、前記ノードの同じセルに関連付けられる、Ｃ２５に記載の装置。
［Ｃ２７］
前記少なくとも１つの第１のキャリアと前記第２のキャリアとは、同じキャリア周波数であり、前記少なくとも１つの第１のキャリアは、第１のセルに関連付けられ、前記第２のキャリアは、第２のセルに関連付けられ、ここで、前記第１のセルと前記第２のセルとは異なり、かつ前記ノードの同じセルである、Ｃ２５に記載の装置。
［Ｃ２８］
前記少なくとも１つの第１のキャリアに割り当てられた前記１つまたは複数の送信アンテナは、部分的にまたは完全に非作動にされたもののうちの１つである前記少なくとも１つの第１のキャリアに基づいて指定される、Ｃ２５に記載の装置。
［Ｃ２９］
１つまたは複数のモバイルデバイスに１つまたは複数のチャネル状態情報基準信号（ＣＳＩ−ＲＳ）構成を送信するための前記少なくとも１つのプロセッサの構成
をさらに備え、
前記１つまたは複数のＣＳＩ−ＲＳ構成は、前記１つまたは複数の送信アンテナの前記組み合わせに基づく、Ｃ２５に記載の装置。
［Ｃ３０］
１つまたは複数のモバイルデバイスに制御チャネルまたはデータチャネルのうちの少なくとも１つについての復調基準信号（ＤＭ−ＲＳ）を送信するための前記少なくとも１つのプロセッサの構成
をさらに備え、
前記ＤＭ−ＲＳは、前記１つまたは複数の送信アンテナの前記組み合わせに基づく、Ｃ２５に記載の装置。
【図１】
0006411460.tif 000002
【図２】
0006411460.tif 000003
【図３】
0006411460.tif 000004
【図４Ａ】
0006411460.tif 000005
【図４Ｂ】
0006411460.tif 000006
【図４Ｃ】
0006411460.tif 000007
【図５Ａ】
0006411460.tif 000008
【図５Ｂ】
0006411460.tif 000009
【図６】
0006411460.tif 000010
【図７】
0006411460.tif 000011
【図８】
0006411460.tif 000012